(57)【要約】【課題】  本発明により、壁面からの突起が僅かであって、被係止物を取り外す際の操作性が良く、係止具の取り付け手間が僅かであり、壁面に残るピン跡を最小限とし、壁面からの脱落防止措置を施した係止具を提供する。【解決手段】  片面に接着剤が塗布されたシート状又はプレート状の台座と凸型スナップボタンと１本の針状物質から構成され、前記台座と凸型スナップボタンが一体化され、前記台座裏面に垂直方向と一定角度の範囲内で自在に動作可能な状態で針状物質が取り付けられた構造を特徴とする壁面掛止具。【選択図】図１
2019209081.tif 000002
【特許請求の範囲】
【請求項１】
石膏ボード製壁面に固定して用いる係止具であって、片面に接着剤が塗布されたシート状又はプレート状の台座と凸型スナップボタンと１本の針状物質から構成され、前記台座と凸型スナップボタンが一体化され、前記台座裏面に垂直方向と一定角度の範囲内で自在に動作可能な状態で針状物質が取り付けられた構造を特徴とする壁面掛止具。
【請求項２】
請求項１記載の係止具において、凸型スナップボタンに代えて凹型スナップボタンを備えた壁面係止具。
【発明の詳細な説明】
【技術分野】
【０００１】  この発明は石膏ボード製壁面に固定して用いる、壁面係止具に関するものである。
【背景技術】
【０００２】  従来、石膏ボード製壁面に固定して使用する係止具のうち、頻繁に係止、取り外しを繰り返す場合は、鈎状の係止具を用いるのが一般的となっている。しかし、鈎状の係止具は壁面からの突起部が必要であり、その突起部が壁面の景観を損ねることがあり、また場合によっては衣服などが引っかかってしまうという欠点を有している。【０００３】  また、係止具を石膏ボード製壁面に固定する方法として、係止具と一体化したピンを壁面に刺して固定するか又は係止具を壁面に接着して固定するのが一般的であるが、被係止物が軽量な場合を除き、ピンと一体化した係止具を用いるのが一般的である。【０００４】  ここで、石膏ボード製壁面に１本のピンで係止具を固定する場合、壁面に与える損傷は１つのピン穴で済む事及び係止具の取り付けが容易である事が利点として挙げられるが、保持力の弱い石膏ボード製壁面に固定する場合、係止具が外れやすいという欠点を有している。そこで、近年ではそのような壁面からの脱落防止対策を施した様々な係止具が製品化されており、代表的なものとして複数のピンを交差的に打ち込み石膏ボード製壁面に固定する係止具が挙げられる。しかしこの場合、複数のピン穴が壁面に残り壁面の損傷が大きくなってしまう事及び係止具の取り付け作業が容易でなく、手間がかかってしまうという欠点を有している。【０００５】  このような問題を解決する方法の１例として特許文献１に開示された吊下具が挙げられる。これは、吊下具を複数の釘で固定する際に、粘着剤により被取付面に対し吊下具を仮止めすることで吊下具の取り付け作業を容易にするものである。
【先行技術文献】
【０００６】
【特許文献１】特開２０００−０５１０５８
【発明の概要】
【発明が解決しようとする課題】
【０００７】  しかし、特許文献１に示した従来例では取り付け作業が若干容易になるものの、吊下具の取付基板と釘が別体を呈しており、釘挿通孔を介して釘を打ち込むという手間が減ずるものではなく０００４段落に記載の欠点すべてを解消するものではない。
そこで、本発明において、０００２段落及び０００４段落に記載の欠点を解消すべく、壁面からの突起が僅かであって、被係止物を取り外す際の操作性が良く、係止具の取り付け手間が僅かであり、壁面に残るピン跡を最小限とし、壁面からの脱落防止措置を施した係止具を提供する。
【課題を解決するための手段】
【０００８】  第１の課題解決手段に係る壁面係止具は、石膏ボード製壁面に固定して用いる係止具であって、片面に接着剤が塗布されたシート状又はプレート状の台座と凸型スナップボタンと１本の針状物質から構成され、前記台座と凸型スナップボタンが一体化され、前記台座裏面に垂直方向と一定角度の範囲内で自在に動作可能な状態で針状物質が取り付けられた構造を特徴とする壁面係止具（第１発明）である。【０００９】  ここで、前記係止具の１例としてシート状の台座が３ｃｍ角程度の略正方形の粘着テープ付き塩化ビニール製壁紙からなり、凸型スナップボタンとして一般的にバネホックと呼ばれているスナップボタンを用い、針状物質が前記バネホックの裏面に垂直方向と２０度程度の角度をなす範囲内で自在に動作可能に遊嵌された構造のものが挙げられる。【００１０】  第１発明に記載の壁面係止具は、石膏ボード製壁面に固定された前記係止具の凸型スナップボタンに被係止物に取り付けられた凹型スナップボタンを嵌合することで被係止物を壁面に係止する構造からなる。【００１１】  石膏ボード製壁面に台座を固定する方法として強力な接着剤による接着効果のみで固定する方法も考えられるが、その場合、平面方向に加わる力により長期間の使用で接着面のずれが生じ、最終的には台座が壁面から外れてしまうことが起こり得る。その対策として、接着力を強化する手段もあるが、その場合、台座を壁面から外す際に壁紙を損傷してしまう恐れがある。
一方、台座を針状物質のみで石膏ボード製壁面に固定する場合、石膏ボードの保持力の弱さからスナップボタンの嵌合を外す際に働く面と鉛直方向の力により台座が壁面から抜け落ちてしまうことが想定される。【００１２】  本発明において、平面方向に加わる力に対しては１本の針状物質により台座のずれ防止を担い、スナップボタンの嵌合を外す際に働く面と鉛直方向の力に対しては接着剤による接着効果で台座の脱落防止を担うことで、接着力を必要最低限に抑えることにより、台座を壁紙から外す際の壁紙の損傷を防ぐことが出来る。【００１３】  第２の課題解決手段に係る壁面係止具は、第１発明に記載の係止具において、凸型スナップボタンに代えて凹型スナップボタンを備えた壁面係止具（第２発明）である。
【発明の効果】
【００１４】  第１の効果に、本発明品の係止機構にスナップボタンを用いることにより、被係止物を取り外す際に、被係止物を引っ張ることで係止が外れるという鈎状係止具にはない取り外しの際の操作性の良さが挙げられる。【００１５】  第２の効果に、本発明品の係止機構にスナップボタンを用いることにより、スナップボタンの嵌合力に対し、それを上回る接着強さで本発明品を壁面に接着することで、重量物を係止しても最初にスナップボタンが外れることで係止具が壁面から外れることを防ぐことができる構造にある。【００１６】  第３の効果に、本発明品は台座の壁面への固定方法として針状物質と接着効果の併用としたことで、台座の壁面への取り付け操作が極めて簡素化されたところにある。従来、石膏ボード製壁面への係止具の固定方法は複数の細釘により固定する方法などさまざまであるが、そのうち最も簡易な固定方法はプッシュピンなどの鋲形状をした係止具であり、本発明品の取り付け操作はプッシュピンと同様であり、最も簡易な固定方法で取り付け可能である。【００１７】  第４の効果に、本発明品は台座裏面に垂直方向と一定角度の範囲内で自在に動作可能な状態で針状物質が取り付けられた構造にある。
従来の鋲形状をした係止具と同様に、針状物質が台座裏面と垂直に取り付けられている場合、壁面鉛直方向から若干の角度を有した状態で針状物質を刺し込んだ場合、針状物質と垂直である台座及びスナップボタンは壁面に対し若干の角度を有することになり、その場合、台座を完全に接着することが出来なくなってしまう。
本発明品は針状物質が一定角度の範囲内で自在に動作可能であるため、針状物質を壁面鉛直方向から若干の角度を有した状態で刺し込んだ場合においても台座及びスナップボタンは壁面に完全に接着することが可能となる。
【図面の簡単な説明】
【００１８】
【図１】請求項１に係る壁面係止具の斜視図を示す。
【図２】請求項１に係る壁面係止具の説明図を示す。
【図３】請求項１に係る壁面係止具の断面図を示す。
【図４】請求項２に係る壁面係止具の断面図を示す。
【発明を実施するための形態】
【００１９】  図１乃至図４を用いて本発明品の１形態を示す。
図１は請求項１に係る壁面係止具の斜視図であり、粘着剤付き台座（１）に凸型バネホック（２）が取り付けられた掛止具を針状物質（３）及び粘着剤の接着効果により石膏ボード製壁面（６）に固定する。被係止物（５）に取り付けられた凹型バネホック（４）を前記凸型バネホック（２）に嵌合させることで被係止物（５）を石膏ボード製壁面（６）に係止する構造である。
【００２０】  図２ａ及び図２ｂは請求項１に係る壁面係止具の説明図である。
図２ａは本発明品の取り付け状況を説明するものであり、針状物質（３）を石膏ボード製壁面（６）の鉛直方向に対してα°傾けて刺し込んだ場合、針状物質（３）は台座（１）及び凸型バネホック（２）と一定角度の範囲内で自在に動作可能であるため、台座（１）は粘着剤により石膏ボード製壁面（６）に完全に接着した状態で固定することが出来る。この場合、角度αは最大で１０°程度を想定している。
【００２１】  図２ｂは本発明品が従来の鋲型と同様であった場合の取り付け状況を説明するものである。針状物質（３）は台座（１）及び凸型バネホック（２）に対して垂直に固定して取り付けられているため、針状物質（３）を石膏ボード製壁面（６）の鉛直方向に対してα°傾けて刺し込んだ場合、凸型バネホック（２）は石膏ボード製壁面（６）に対してα°傾いて固定されることになり、その結果台座（１）は石膏ボード製壁面（６）に完全に接着することが出来なくなる。これは、接着効果の著しい低下を招くとともに、景観上も好ましいものではない。
【００２２】  一般的に、鋲形状をしたプッシュピンなど１本の針状物質を壁面に差し込む場合、壁面に対して垂直に差し込むことは実は難しく、大抵は壁面に対して一定の範囲内で傾いた状態で刺し込んでいるのが実態である。従来の鋲形状をしたプッシュピンではこのようなわずかな傾きを気にする必要がなかったが、本発明品の壁面係止具は台座（１）を石膏ボード製壁面（６）に完全に接着させる必要があるため、台座（１）は常に石膏ボード製壁面（６）に対して平行である必要があり、そのためには、針状物質（３）が台座（１）及び凸型バネホック（２）と一定角度の範囲内で自在に動作可能である構造は重要な要素となっている。
【００２３】  図３は請求項１に係る壁面係止具の断面図を示す。
本発明品を構成する凸型バネホックはゲンコ（２ａ）とホソ（２ｂ）からなり、前記ゲンコ（２ａ）とホソ（２ｂ）は台座（１）を挟んだ状態で一体化されている。また、針状物質（３）はホソ（２ｂ）の針貫通孔端部でゲンコ（２ａ）内に遊嵌されている。
【００２４】  図４は請求項２に係る壁面係止具の断面図を示す。
【符号の説明】
【００２５】    １  台座
２  凸型バネホック
２ａゲンコ
２ｂホソ
３  針状物質
４  凹型バネホック
５  被係止物
６  石膏ボード製壁面
７  凹型バネホック
【図１】
2019209081.tif 000003
【図２】
2019209081.tif 000004
【図３】
2019209081.tif 000005
【図４】
2019209081.tif 000006
【手続補正書】
【提出日】平成31年4月27日(2019.4.27)
【手続補正１】
【補正対象書類名】特許請求の範囲
【補正対象項目名】全文
【補正方法】変更
【補正の内容】
【特許請求の範囲】
【請求項１】
石膏ボード製壁面に固定して用いる係止具であって、片面に接着剤が塗布されたシート状又はプレート状の台座と凸型スナップボタンと１本の針状物質から構成され、前記台座と凸型スナップボタンが一体化され、前記台座裏面垂直方向に対し２０度程度の角度をなす範囲内で自在に動作可能な状態で針状物質が取り付けられた構造を特徴とする壁面係止具。
【請求項２】
請求項１記載の係止具において、凸型スナップボタンに代えて凹型スナップボタンを備えた壁面係止具。
【手続補正２】
【補正対象書類名】明細書
【補正対象項目名】全文
【補正方法】変更
【補正の内容】
【発明の詳細な説明】
【技術分野】
【０００１】この発明は石膏ボード製壁面に固定して用いる、壁面係止具に関するものである。
【背景技術】
【０００２】従来、石膏ボード製壁面に固定して使用する係止具のうち、頻繁に係止、取り外しを繰り返す場合は、鈎状の係止具を用いるのが一般的となっている。しかし、鈎状の係止具は壁面からの突起部が必要であり、その突起部が壁面の景観を損ねることがあり、また場合によっては衣服などが引っかかってしまうという欠点を有している。【０００３】また、係止具を石膏ボード製壁面に固定する方法として、係止具と一体化したピンを壁面に刺して固定するか又は係止具を壁面に接着して固定するのが一般的であるが、被係止物が軽量な場合を除き、ピンと一体化した係止具を用いるのが一般的である。【０００４】ここで、石膏ボード製壁面に１本のピンで係止具を固定する場合、壁面に与える損傷は１つのピン穴で済む事及び係止具の取り付けが容易である事が利点として挙げられるが、保持力の弱い石膏ボード製壁面に固定する場合、係止具が外れやすいという欠点を有している。そこで、近年ではそのような壁面からの脱落防止対策を施した様々な係止具が製品化されており、代表的なものとして複数のピンを交差的に打ち込み石膏ボード製壁面に固定する係止具が挙げられる。しかしこの場合、複数のピン穴が壁面に残り壁面の損傷が大きくなってしまう事及び係止具の取り付け作業が容易でなく、手間がかかってしまうという欠点を有している。【０００５】このような問題を解決する方法の１例として特許文献１に開示された吊下具が挙げられる。これは、吊下具を複数の釘で固定する際に、粘着剤により被取付面に対し吊下具を仮止めすることで吊下具の取り付け作業を容易にするものである。
【先行技術文献】
【０００６】
【特許文献１】特開２０００−０５１０５８
【発明の概要】
【発明が解決しようとする課題】
【０００７】しかし、特許文献１に示した従来例では取り付け作業が若干容易になるものの、吊下具の取付基板と釘が別体を呈しており、釘挿通孔を介して釘を打ち込むという手間が減ずるものではなく０００４段落に記載の欠点すべてを解消するものではない。
そこで、本発明において、０００２段落及び０００４段落に記載の欠点を解消すべく、壁面からの突起が僅かであって、被係止物を取り外す際の操作性が良く、係止具の取り付け手間が僅かであり、壁面に残るピン跡を最小限とし、壁面からの脱落防止措置を施した係止具を提供する。
【課題を解決するための手段】
【０００８】第１の課題解決手段に係る壁面係止具は、石膏ボード製壁面に固定して用いる係止具であって、片面に接着剤が塗布されたシート状又はプレート状の台座と凸型スナップボタンと１本の針状物質から構成され、前記台座と凸型スナップボタンが一体化され、前記台座裏面垂直方向に対し２０度程度の角度をなす範囲内で自在に動作可能な状態で針状物質が取り付けられた構造を特徴とする壁面係止具（第１発明）である。【０００９】ここで、前記係止具の１例としてシート状の台座が３ｃｍ角程度の略正方形の粘着テープ付き塩化ビニール製壁紙からなり、凸型スナップボタンとして一般的にバネホックと呼ばれているスナップボタンを用い、針状物質が前記バネホックの裏面に垂直方向と２０度程度の角度をなす範囲内で自在に動作可能に遊嵌された構造のものが挙げられる。【００１０】第１発明に記載の壁面係止具は、石膏ボード製壁面に固定された前記係止具の凸型スナップボタンに被係止物に取り付けられた凹型スナップボタンを嵌合することで被係止物を壁面に係止する構造からなる。【００１１】石膏ボード製壁面に台座を固定する方法として強力な接着剤による接着効果のみで固定する方法も考えられるが、その場合、平面方向に加わる力により長期間の使用で接着面のずれが生じ、最終的には台座が壁面から外れてしまうことが起こり得る。その対策として、接着力を強化する手段もあるが、その場合、台座を壁面から外す際に壁紙を損傷してしまう恐れがある。  一方、台座を針状物質のみで石膏ボード製壁面に固定する場合、石膏ボードの保持力の弱さからスナップボタンの嵌合を外す際に働く面と鉛直方向の力により台座が壁面から抜け落ちてしまうことが想定される。【００１２】本発明において、平面方向に加わる力に対しては１本の針状物質により台座のずれ防止を担い、スナップボタンの嵌合を外す際に働く面と鉛直方向の力に対しては接着剤による接着効果で台座の脱落防止を担うことで、接着力を必要最低限に抑えることにより、台座を壁紙から外す際の壁紙の損傷を防ぐことが出来る。【００１３】第２の課題解決手段に係る壁面係止具は、第１発明に記載の係止具において、凸型スナップボタンに代えて凹型スナップボタンを備えた壁面係止具（第２発明）である。
【発明の効果】
【００１４】第１の効果に、本発明品の係止機構にスナップボタンを用いることにより、被係止物を取り外す際に、被係止物を引っ張ることで係止が外れるという鈎状係止具にはない取り外しの際の操作性の良さが挙げられる。【００１５】第２の効果に、本発明品の係止機構にスナップボタンを用いることにより、スナップボタンの嵌合力に対し、それを上回る接着強さで本発明品を壁面に接着することで、重量物を係止しても最初にスナップボタンが外れることで係止具が壁面から外れることを防ぐことができる構造にある。【００１６】第３の効果に、本発明品は台座の壁面への固定方法として針状物質と接着効果の併用としたことで、台座の壁面への取り付け操作が極めて簡素化されたところにある。従来、石膏ボード製壁面への係止具の固定方法は複数の細釘により固定する方法などさまざまであるが、そのうち最も簡易な固定方法はプッシュピンなどの鋲形状をした係止具であり、本発明品の取り付け操作はプッシュピンと同様であり、最も簡易な固定方法で取り付け可能である。【００１７】第４の効果に、本発明品は台座裏面垂直方向に対し２０度程度の角度をなす範囲内で自在に動作可能な状態で針状物質が取り付けられた構造にある。
従来の鋲形状をした係止具と同様に、針状物質が台座裏面と垂直に取り付けられている場合、壁面鉛直方向から若干の角度を有した状態で針状物質を刺し込んだ場合、針状物質と垂直である台座及びスナップボタンは壁面に対し若干の角度を有することになり、その場合、台座を完全に接着することが出来なくなってしまう。
本発明品は針状物質が台座裏面垂直方向に対し２０度程度の角度をなす範囲内で自在に動作可能であるため、針状物質を壁面鉛直方向から若干の角度を有した状態で刺し込んだ場合においても台座及びスナップボタンは壁面に完全に接着することが可能となる。
【図面の簡単な説明】
【００１８】
【図１】請求項１に係る壁面係止具の斜視図を示す。
【図２】請求項１に係る壁面係止具の説明図を示す。
【図３】請求項１に係る壁面係止具の断面図を示す。
【図４】請求項２に係る壁面係止具の断面図を示す。
【発明を実施するための形態】
【００１９】図１乃至図４を用いて本発明品の１形態を示す。
図１は請求項１に係る壁面係止具の斜視図であり、粘着剤付き台座（１）に凸型バネホック（２）が取り付けられた係止具を針状物質（３）及び粘着剤の接着効果により石膏ボード製壁面（６）に固定する。被係止物（５）に取り付けられた凹型バネホック（４）を前記凸型バネホック（２）に嵌合させることで被係止物（５）を石膏ボード製壁面（６）に係止する構造である。
【００２０】図２ａ及び図２ｂは請求項１に係る壁面係止具の説明図である。
図２ａは本発明品の取り付け状況を説明するものであり、針状物質（３）を石膏ボード製壁面（６）の鉛直方向に対してα°傾けて刺し込んだ場合、針状物質（３）は台座（１）及び凸型バネホック（２）と一定角度の範囲内で自在に動作可能であるため、台座（１）は粘着剤により石膏ボード製壁面（６）に完全に接着した状態で固定することが出来る。この場合、角度αは最大で１０°程度を想定している。
【００２１】図２ｂは本発明品が従来の鋲型と同様であった場合の取り付け状況を説明するものである。針状物質（３）は台座（１）及び凸型バネホック（２）に対して垂直に固定して取り付けられているため、針状物質（３）を石膏ボード製壁面（６）の鉛直方向に対してα°傾けて刺し込んだ場合、凸型バネホック（２）は石膏ボード製壁面（６）に対してα°傾いて固定されることになり、その結果台座（１）は石膏ボード製壁面（６）に完全に接着することが出来なくなる。これは、接着効果の著しい低下を招くとともに、景観上も好ましいものではない。
【００２２】一般的に、鋲形状をしたプッシュピンなど１本の針状物質を壁面に差し込む場合、壁面に対して垂直に差し込むことは実は難しく、大抵は壁面に対して一定の範囲内で傾いた状態で刺し込んでいるのが実態である。従来の鋲形状をしたプッシュピンではこのようなわずかな傾きを気にする必要がなかったが、本発明品の壁面係止具は台座（１）を石膏ボード製壁面（６）に完全に接着させる必要があるため、台座（１）は常に石膏ボード製壁面（６）に対して平行である必要があり、そのためには、針状物質（３）が台座（１）及び凸型バネホック（２）の垂直方向に対し２０度程度の角度をなす範囲内で自在に動作可能である構造は重要な要素となっている。
【００２３】図３は請求項１に係る壁面係止具の断面図を示す。
本発明品を構成する凸型バネホックはゲンコ（２ａ）とホソ（２ｂ）からなり、前記ゲンコ（２ａ）とホソ（２ｂ）は台座（１）を挟んだ状態で一体化されている。また、針状物質（３）はホソ（２ｂ）の針貫通孔端部でゲンコ（２ａ）内に遊嵌されている。
【００２４】図４は請求項２に係る壁面係止具の断面図を示す。
【符号の説明】
【００２５】１  台座
２  凸型バネホック
２ａゲンコ
２ｂホソ
３  針状物質
４  凹型バネホック
５  被係止物
６  石膏ボード製壁面
７  凹型バネホック